(57)【特許請求の範囲】
【請求項１】
後パネルと、該後パネルの両側縁から前方に延設した側パネルと、前記後パネル或いは側パネルに設けた支持手段により、略垂直な収納状態と略水平な使用状態との両態様に支持可能な天板とを有する折り畳みテーブルの天板ロック機構であって、前記天板には係止軸を有するロック部材を、前記側パネルには係合溝を有する受け部材を設け、前記係合溝は前記係止軸を受け入れる開口部と該係止軸の移動を拘束する水平溝が形成され、前記天板が略水平状態であるときに、前記係止軸が前記水平溝内のロック位置と前記開口部のロック解除位置に水平移動することを特徴とする折り畳みテーブルの天板ロック機構。
【請求項２】
前記係止軸はロック解除位置でその移動に抵抗を与えるようにした請求項１に記載の折り畳みテーブルの天板ロック機構。
【請求項３】
前記係止軸はロックピンの係脱によりロック位置の保持または解除がなされる請求項１または２に記載の折り畳みテーブルの天板ロック機構。
【請求項４】
前記開口部は前記水平溝と一体に連続した垂直溝で構成されている請求項１ないし３のいずれかに記載の折り畳みテーブルの天板ロック機構。
【請求項５】
前記係止軸は前記係合溝側と該溝と反対側に延びる２本の棒部材で形成されている請求項１ないし４にいずれかに記載の折り畳みテーブルの天板ロック機構。
【請求項６】
前記側パネルは回動可能な延長パネルを備えている請求項１ないし５のいずれかに記載の折り畳みテーブルの天板ロック機構。
【請求項７】
前記後パネル又は側パネルの少なくともどちらか一方がパーテーションである請求項１ないし６のいずれかに記載の折り畳みテーブルの天板ロック機構。
【発明の詳細な説明】
【０００１】
【発明の属する技術分野】
本発明は、後パネルと、該後パネルの両側縁から前方に延設した側パネルと、前記後パネル或いは側パネルに設けた支持手段により、略垂直な収納状態と略水平な使用状態との両態様に支持可能な天板とを有する折り畳みテーブルの天板ロック機構に関する。
【０００２】
【従来の技術】
従来、折り畳みテーブルとして図６に示すものが知られていた。図６は従来の略垂直な収納状態と略水平な使用状態との両態様に支持可能な天板とを有する折り畳みテーブルの斜視図であり、折り畳みテーブル０１は、後パネル０２、側パネル０３、及び側パネル０３に設けた支持手段０４により垂直な収納状態と水平な使用状態との両態様に支持可能な天板０５から成っている。また、側パネル０３は該側パネルに対して回動自在の延長パネル０６が連接しており、天板０５を垂直状態に収納したとき、延長パネル０６を回動させてテーブルを折り畳んでおくことができる。天板０５の使用時は折り畳まれた延長パネル０６を拡げ、天板０５を矢印Ｘ方向に回転させて支持手段０４で略水平状態に支持するようになっている。
【０００３】
【発明が解決しようとしている課題】
しかしながら図６に示した従来の折り畳みテーブル０１は、天板０５が側パネル０３に設けた支持手段０４のみで支持されているため、天板の先端部に荷重がかかると天板に撓みが生じることがあり、又、側板として構成された延長パネル０６がテーブル使用中に回動してしまうことがあった。
【０００４】
本発明は、このような状況に鑑みてなされたもので、テーブル使用時に天板先端部に荷重がかかっても天板に撓みが生じることなく、しかも側板が天板と一体化することで堅牢な支持枠組みが得られる折り畳みテーブルの天板ロック機構を提供することを目的とする。
【０００５】
【課題を解決するための手段】
上記目的を達成するために、本発明の折り畳みテーブルの天板ロック機構は、後パネルと、該後パネルの両側縁から前方に延設した側パネルと、前記後パネル或いは側パネルに設けた支持手段により、略垂直な収納状態と略水平な使用状態との両態様に支持可能な天板とを有する折り畳みテーブルの天板ロック機構であって、前記天板には係止軸を有するロック部材を、前記側パネルには係合溝を有する受け部材を設け、前記係合溝は前記係止軸を受け入れる開口部と該係止軸の移動を拘束する水平溝が形成され、前記天板が略水平状態であるときに、前記係止軸が前記水平溝内のロック位置と前記開口部のロック解除位置に水平移動することを特徴としている。
この特徴によれば、テーブル使用時に天板が側パネルにロックできるので、側パネルと天板とが一体化し、天板先端の撓みが抑止され、堅牢な支持枠組みによる安定したテーブル支持が得られる。
【０００６】
本発明の折り畳みテーブルの天板ロック機構は、前記係止軸はロック解除位置でその移動に抵抗を与えるようにするのが好ましい。
このようにすれば、テーブルの折り畳み移動時においても係止軸の移動を拘束することができ、移動によるがたつき音を発生することがない。
【０００７】
本発明の折り畳みテーブルの天板ロック機構は、前記係止軸はロックピンの係脱によりロック位置の保持または解除がなされることが好ましい。
このようにすれば、係止軸のロック状態と開放状態がロックピンの係脱により切り替わるので、天板の収納時と使用時に動作確認をしながら確実に操作できる。
【０００８】
本発明の折り畳みテーブルの天板ロック機構は、前記開口部は前記水平溝と一体に連続した垂直溝で構成されていることが好ましい。
このようにすれば、係合溝が一体構造の水平溝と垂直溝とから成るので、堅牢な受け部材を構築することができる。
【０００９】
本発明の折り畳みテーブルの天板ロック機構は、前記係止軸は前記係合溝側と該溝と反対側に延びる２本の棒部材で形成されていることが好ましい。
このようにすれば、ロック部材を左右の側パネルのどちらの受け部材の係合溝にも適用させることができる。
【００１０】
本発明の折り畳みテーブルの天板ロック機構は、前記側パネルは回動可能な延長パネルを備えていることが好ましい。
このようにすれば、テーブル収納時に天板を後パネル、延長パネル付き側パネルで覆うことができ、保管時にスペースをとらず運搬も容易となる。
【００１１】
本発明の折り畳みテーブルの天板ロック機構は、前記後パネル又は側パネルの少なくともどちらか一方がパーテーションであることが好ましい。
このようにすれば、テーブル使用時は通常のパーテーションとして使用でき、テーブル折り畳み時は間仕切りパーテーションとして立てかけておくことができる。
【００１２】
【発明の実施の形態】
以下、本発明の実施例を図面に基づいて説明する。図１は、本発明の折り畳みテーブルの垂直な収納状態を示す斜視図であり、図２はテーブル使用時のロック機構の拡大斜視図である。
【００１３】
図１において、折り畳みテーブル１は、後パネル２と、この後パネルの両側縁から前方に延設した側パネル４と、天板６から成り、天板６は側パネルに設けた支持手段８により、略垂直な収納状態と、略水平な使用状態に支持されている。天板６にはロック部材１０が、側パネル４と回動自在に接続している右側の延長パネル１２には受け部材１４が設けられたものが図示されている。図１に示された天板６は略三角形状であり左側の延長パネル１２’にはロック機構を設けていないが、天板が四角い形状であるような場合には左右両方にロック機構を設ける方が天板の支持が安定する。
【００１４】
支持手段８としてはテーブルを折り畳み自在に支持するものであればどの様な構成のものであってもよく、その取付場所も側パネル４に限る必要はない。したがって、後パネル２に設けた蝶番のようなものであってもよい。
【００１５】
図２は天板６が略水平な使用状態に支持されている斜視図であり、ロック部材１０の係止軸１６が受け部材１４に形成した係合溝１４ｂ（図１）に係止して、天板６がロックされた状態にある。この状態の詳細は後述するが、操作レバー１８が押し込まれてロックピン２０が係止軸１６の後退を阻止することで、天板６は折り畳むことはできない。
【００１６】
図２では側パネルの一方側だけしか図示されていないが、天板形状が矩形であれば、天板の他方側にもロック部材を、他方の側パネルに受け部材を設けるようにする。この場合、にテーブル使用時には天板６が側パネルの２箇所でロックされることになるので、天板の先端部における撓みはより抑止される。
【００１７】
図３はロック部材の分解斜視図であり、図４（ａ）は受け部材の斜視図、図４（ｂ）は他の受け部材の斜視図であり、図５はロック位置とロック解除位置を示したロック部材の説明のための断面図である。これら図３，４及び図５に基づいて、本発明の天板のロック機構について更に詳述する。
【００１８】
図３において、ロック部材１０は手掛け２２と、この手掛け２２を収納するラッチカバー２４及びロックピン２０とで構成されている。ラッチカバー２４は天板に固定するための４つのボルト孔２４ａが形成されていると共に、手掛け２２の棒部材１６ａ、１６ｂから成る係止軸１６を受け入れる解放部２４ｂを有している。ラッチカバー２４の底部には手掛け２２を摺動案内するためのガイド部２４ｃとロックピン摺動用孔２５を有する補助ガイド部２４ｃ’が形成されている。
【００１９】
一方、手掛け２２にはロックピン２０の鍔部２０ａを摺動保持する長孔２２ａと、ロックピン２０を下方に落とすことができる半円状の拡大穴２２ａ’が一体的に形成されている。また、手掛け２２は操作のための操作レバー１８が設けられていると共に、その先端部には左右方向に撓める可撓片２２ｂが延びており、その外部に向かって突出した突起部２２ｂ’がラッチカバー２４の左右壁面に形成した波状部２４ｄの凹部と係合することで、ロック解除位置での手掛け２２の移動を拘束している。
【００２０】
図４に示す受け部材１４は、右側の側パネルにボルト孔１４ａを介して取り付けられる。中央には手掛け２２の一方の棒部材１６ａを受け入れるための垂直溝１４ｂ−１と水平溝１４ｂ−２で構成された係合溝１４ｂが形成されている。垂直溝１４ｂ−１は棒部材１６ａの出入りが行われる開口部であり、水平溝１４ｂ−２は棒部材１６ａを上下の壁１４ｃ、１４ｃ’で上下方向の移動を阻止している。
【００２１】
棒部材１６ｂは係合溝１４ｂと反対方向に延びているため（図３）、右側の側パネルに取り付けた受け部材１４には不要なものであるが、左側の側パネルに取り付けた受け部材に対しては必要なもので、その係合溝と嵌合することで、ロック機能を果たすものである。このように係止軸１６を左右方向に２本延ばした棒部材１６ａ、１６ｂで構成することで、いずれの側パネルに対しても適用可能となり、部品の共用化が図れる利点がある。
【００２２】
本実施例で示した受け部材は、側面視で略Ｌ字状の係合溝を有していたので堅牢な受け部材として構築されているが、必ずしもこのような構成を取る必要はなく、例えば図４（ｂ）に示すように、垂直溝を設けず開口部１４’ａから直接水平溝１４’ｂが連なった係合溝を有する簡素な構成の受け部材１４’であってもよい。
【００２３】
次に、図５に基づいて本発明における天板のロック機構の作動について説明すると、図（ａ）はロック部材が解除位置にある平面図と側面図であり、（ｂ）はロック部材がロック位置にある平面図と側面図である。
【００２４】
図５（ａ）において、手掛け２２は図中右方にあり、ロックピン２０の鍔部２０ａは手掛け２２の長孔２２ａ上に載っていると共に、棒部材１６ａ、１６ｂはラッチカバー２４の解放部２４ｂの右方に位置している。この解除位置では、手掛け２２の先端に設けた可撓片２２ｂの突起部２２ｂ’がラッチカバー２４の左右壁面に形成した波状部２４ｄの凹部と係合しており、手掛け２２の移動を拘束している。したがって、ロック部材１０が天板と共に移動しても、移動による手掛け２２のがたつき音を発生することがない。
【００２５】
垂直状態に収納されている天板を水平状態にして使用するときは、図１において天板６の裏面に取り付けられているロック部材１０は、手掛け２２が図５（ａ）に示したロック解除位置にあり、側パネル４に回動自在に設けられた延長パネルの受け部材１４に向かって回動し、右側の延長パネル１２に設けられた受け部材１４に対しては棒部材１６ａが垂直溝１４ｂ−１（図４ａ）に嵌入する。
【００２６】
天板６が水平になったところで手掛け２２の操作レバー１８を図５（ａ）において、突起部２２ｂ’と波状部２４ｄの凹部と係合による抵抗に抗して左方に押し込んでいくと図５（ｂ）に示すロック位置に移行する。このとき手掛け２２はラッチカバー２４のガイド部２４ｃと補助ガイド部２４ｃ’に案内されて摺動する。
【００２７】
図５（ｂ）において、手掛け２２に形成した半円状の拡大穴２２ａ’は鍔部２０ａより大きいので、拡大穴２２ａ’が丁度ロックピン２０の鍔部２０ａの下部に位置すると、ロックピン２０は下方に落ち込む。すると、鍔部２０ａが半円状の拡大穴２２ａ’に受け止められ、手掛け２２はラッチカバー２４に対して移動することができず固定されることになり、棒部材１６ａ、１６ｂはラッチカバー２４の解放部２４ｂの左方に位置する。
【００２８】
したがって、棒部材１６ａは受け部材１４の水平溝１４ｂ−２（図４ａ）に嵌入し上下の壁１４ｃ、１４ｃ’で移動が拘束され、天板６は垂直状態に折り畳もうとしても水平状態にロックされることになる。
【００２９】
ロックを解除するには、図５（ｂ）に示したロックピン２０の底部２０ｂを押し上げ、鍔部２０ａを半円状の拡大穴２２ａ’から離脱し、その状態で操作レバー１８を右方向に引き出せば、ロックピン２０の鍔部２０ａは再び長穴２２ａの上に載り、そのまま操作レバー１８を引き続けることにより可撓片２２ｂの突起部２２ｂ’がラッチカバー２４の波状部２４ｄの凹部と係合し、手掛け２２の移動が拘束されてロック解除位置が保持される。
【００３０】
その後は天板を回動させて折り畳んでいけばよい。このように天板の収納時にはロックピン２０をその底部２０ｂより押し上げ、操作レバー１８を引き出す動作が必要があり、天板の使用時には手掛け２２の操作レバー１８を押し込む動作が必要なので、動作確認をしながら確実に操作できる。
【００３１】
本実施例において、図１に見られるように、延長パネル１２，１２’を側パネル４に延長して設け、しかも背を高くしてパーテーションの機能を持たせているために、テーブル収納時に天板６を後パネル２、延長パネル付き側パネル４で覆うことができ、保管時にスペースをとらず運搬も容易となるし、そのまま間仕切りパーテーションとして立てかけておくことも可能であるが、このような目的で使用しないのであれば、これに限ることなく、回動して折り畳むような構成を取らずに背の低い単純な支え部材としての側パネルで十分である。
【００３２】
【発明の効果】
本発明によれば、次のような効果が得られる。
【００３３】
（ａ）請求項１に記載の発明によれば、テーブル使用時に天板が側パネルにロックできるので、側パネルと天板とが一体化し、天板先端の撓みが抑止され、堅牢な支持枠組みによる安定したテーブル支持が得られる。
【００３４】
（ｂ）請求項２に記載の発明によれば、テーブルの折り畳み移動時においても係止軸の移動を拘束することができ、移動によるがたつき音を発生することがない。
【００３５】
（ｃ）請求項３に記載の発明によれば、係止軸のロック状態と開放状態がロックピンの係脱により切り替わるので、天板の収納時と使用時に動作確認をしながら確実に操作できる。
【００３６】
（ｄ）請求項４に記載の発明によれば、係合溝が一体構造の水平溝と垂直溝とから成るので、堅牢な受け部材を構築することができる。
【００３７】
（ｅ）請求項５に記載の発明によれば、ロック部材を左右の側パネルのどちらの受け部材の係合溝にも適用させることができる。
【００３８】
（ｆ）請求項６に記載の発明によれば、テーブル収納時に天板を後パネル、延長パネル付き側パネルで覆うことができ、保管時にスペースをとらず運搬も容易となる。
【００３９】
（ｇ）請求項７に記載の発明によれば、テーブル使用時は通常のパーテーションとして使用でき、テーブル折り畳み時は間仕切りパーテーションとして立てかけておくことができる。
【図面の簡単な説明】
【図１】本発明の折り畳みテーブルの垂直な収納状態を示す斜視図である。図２はテーブル使用時のロック機構の拡大斜視図である。
【図２】図２はテーブル使用時のロック機構の拡大斜視図である。
【図３】本発明のロック部材の分解斜視図である。
【図４】図４（ａ）は受け部材の斜視図、（ｂ）は他の変形例としての受け部材の斜視図である。
【図５】図５はロック位置とロック解除位置を示したロック部材の説明のための断面図で、（ａ）はロック部材が解除位置にある平面図と側面図であり、（ｂ）はロック部材がロック位置にある平面図と側面図である。
【図６】従来の略垂直な収納状態と略水平な使用状態との両態様に支持可能な天板とを有する折り畳みテーブルの斜視図である。
【符号の説明】
１                          折り畳みテーブル
２                          後パネル
４                          側パネル
６                          天板
８                          支持手段
１０                        ロック部材
１２、１２’                左右の延長パネル
１４                        受け部材
１４ａ                      ボルト孔
１４ｂ                      係合溝
１４ｂ―１                  垂直溝
１４ｂ−２                  水平溝
１４ｃ、１４ｃ’            上下の壁
１４’                      他の受け部材
１４’ａ                    開口部
１４’ｂ                    水平溝
１６                        係止軸
１６ａ，１６ｂ              棒部材
１８                        操作レバー
２０                        ロックピン
２０ａ                      鍔部
２０ｂ                      底部
２２                        手掛け
２２ａ                      長孔
２２ａ’                    半円状の拡大穴
２２ｂ                      可撓片
２２ｂ’                    突起部
２４                        ラッチカバー
２４ａ                      ボルト孔
２４ｂ                      解放部
２４ｃ                      ガイド部
２４ｃ’                    補助ガイド部
２４ｄ                      波状部
２５                        ロックピン摺動用孔
【図１】
0004519346.tif 000002
【図２】
0004519346.tif 000003
【図３】
0004519346.tif 000004
【図４】
0004519346.tif 000005
【図５】
0004519346.tif 000006
【図６】
0004519346.tif 000007